(57)【要約】［課題］  膜カートリッジを膜カートリッジ支持枠に簡単にして円滑に挿入し、且つ膜の間隔を一定に保持することのできる浸漬型平膜分離装置を提供する。［解決手段］  膜カートリッジ支持枠１の内部に、所定の膜間隔を保持するために、膜カートリッジ枠７を所定の厚さに成型した複数の膜カートリッジを収納し、上下四箇所をボルト３で締めて固定する．膜カートリッジは、上部および、または下部それぞれに二箇所以上の溝を設け、固定バー２により固定する。固定バー２は、膜カートリッジ支持枠１にボルト４で固定する。［選択図］  図面１【特許請求の範囲】
【請求項１】
濾過膜を張った複数の膜カートリッジを、支持枠、ケーシング等に上下方向に挿入し、各膜カートリッジを所定の間隔をあけて平行に配列する浸漬型平膜分離装置において、膜カートリッジ枠の垂直部が運転操作上必要な濾過面間隔を確保するに必要な厚さ、形状および強度を持つように成型或いは製作されたことを特徴とする浸漬型平膜分離装置。
【請求項２】
請求項１の膜カートリッジ枠の形状が、枠の上部水平部上面に二箇所以上の溝が設けられており、或いは膜カートリッジ枠の垂直部が、枠の上記水平部上面より垂直方向に突き出た形状であり、膜カートリッジ取り付け後、この溝或いは枠の垂直突出部の内側に膜と直角方向に、膜カートリッジの変形を防ぐに充分な強度を持つ固定バーが取り付けられ、且つその固定バーが膜カートリッジ支持枠、ケーシング等に固定されていることにより、膜の間隔を一定に保持することを特徴とする浸漬型平膜分離装置。
【請求項３】
請求項１の膜カートリッジ枠の形状が、枠の下部水平部下面に二箇所以上の溝が設けられており、或いはカートリッジ枠の垂直部が枠の下部水平部下面より垂直方向に突き出た形状であり、カートリッジの変形を防ぐに充分な強度を持つ固定バーが、カートリッジ組立時に上記溝の部分或いは枠の垂直突出部内側に嵌る位置に、膜カートリッジと直角方向に、膜カートリッジ支持枠、ケーシング等に固定されることにより、膜の間隔を一定に保持することを特徴とする浸漬型平膜分離装置。
【請求項４】
請求項１の膜カートリッジ枠の構造及び形状が、垂直部の濾過面に平行な面に、膜カートリッジをカートリッジ支持枠、ケーシング等に組み込み締めつけた場合に、隣接する膜カートリッジ枠の垂直部が互いに嵌合する凹凸を設けた構造である浸漬型平膜分離装置。
【発明の詳細な説明】
【技術分野】
【０００１】  本発明は、水処理等において、原水中の微粒物質等を濾過膜を用いて分離する用途に使用する浸漬型平膜分離装置に係り、浸漬型平膜分離装置の膜カートリッジ保持構造を有する浸漬型平膜分離装置に関するものである。［背景技術］【０００２】  従来、水処理施設等においては、原水中に含まれる微粒物質等や活性汚泥を分離除去するために、濾過膜を備えた固液分離装置を使用している。この種の固液分離装置としては、例えば、の浸漬型平膜分離装置がある。【０００３】  この装置の第１の問題点は、膜カートリッジの取り付け構造が複雑高価であり、組立設置にも手間のかかること。第２の問題点は、装置の運転開始後、メンテナンスのために破損した膜を交換する作業が煩雑であること。第３の問題点は、曝気槽等の中で運転した場合に、膜カートリッジ濾過面への懸濁物質等の不均等付着が原因で膜カートリッジが歪み、膜間の通水間隔を一定に保つことができず、膜間隔の狭いところが水中の懸濁物質で閉塞して有効面積が減少し、膜分離効果が低下し、甚だしい場合には膜同士が擦れて破損し正常な運転を確保できないところにある。【０００４】  特開平１１−１７９１６６号公報は、この問題を解決するため、ケーシングに膜カートリッジを一定間隔で挿入するための多数のガイドを設けることを提案しているが。しかし当該提案は、ガイドの製作および取り付けが複雑であるにもかかわらず、膜カートリッジの変形に対する対策が不十分であり、不経済である。【０００５】特開平８−５７２６８号公報の提案では、膜カートリッジが全カートリッジを貫通するバー（当該文献第３図の２５）により固定されており、破損した膜カートリッジ１枚を交換するにも、浸漬型膜分離装置と浸漬槽の間に、貫通するバーを抜き出すのに必要なスペースを必要とし、或いは分離装置全体を浸漬槽外に搬出しないと取り替え作業ができないという問題点がある。また濾過装置と浸漬槽の間に上記貫通バーを抜き差しするだけのスペースがない場合には、予め浸漬槽外で全膜カートリッジを組み込まないと、設置することができない。【０００６】  特開平８−７１３８２号公報が提案する方法も、特開平８−５７２６８号公報の提案と同様な問題点を抱えている。【０００７】  特開平１２−２３７５５１号公報の提案する方法には、膜カートリッジの上下に、膜間隔を一定に保つための膜間保持材（当該文献第１図の３２及び３４）が提案されているが、メンテナンスのために破損した膜カートリッジを交換する作業が複雑である。  ［特許文献１］特開平１１−１７９１６６号公報  ［特許文献２］特開平８−５７２６８号公報  ［特許文献３］特開平８−７１３８２号公報  ［特許文献４］特開平１２−２３７５５１号公報［発明の開示］［発明を解決しようとする課題］【０００８】  本発明は、上記した３つの課題を解決するもので、膜カートリッジの挿入を簡単、円滑に行うことができると同時に、膜間の通水間隔が広狭に変化することを防止することができる膜カートリッジ保持構造を有する浸漬型平膜分離装置を提供することを目的としている。［課題を解決するための手段］【０００９】  上記した課題を解決するために、濾過膜を張った複数の本発明の膜カートリッジを上下方向に挿入し、各膜カートリッジを所定の間隔をあけて平行に配列する浸漬型平膜分離装置において、膜カートリッジ枠の垂直部が所定の厚さ、形状および強度に成型或いは製作された膜カートリッジは、膜カートリッジ支持枠、ケーシング等に簡単に挿入でき、且つ膜カートリッジを挿入するだけで膜濾過面の間隔を一定に設定することができる。またメンテナンスのために容易に膜カートリッジの差替えをすることができる。【００１０】  膜カートリッジ濾過面へ懸濁物質等が不均等付着等の原因で、膜カートリッジが歪み濾過膜がたわむのを防ぐために、膜カートリッジ枠の上部水平部上側および、または下部水平部の下側に溝或いは凹みを設け、膜カートリッジと直角方向に溝或いは凹みに固定バーを設置し、固定バーを膜カートリッジ支持枠、ケーシング等に固定し、或いは膜カートリッジ枠の垂直部に膜カートリッジを膜カートリッジ支持枠、ケーシング等に組み込み締めつけた際に隣接する膜カートリッジ枠の垂直部どうしが互いに嵌合しあう凹凸部を設けることにより、膜カートリッジ枠の垂直部の変形に対し抵抗する強度を増すことができる。【００１１】  上記の構成により、複数の膜カートリッジを膜カートリッジ保持枠、ケーシング等内に簡単に挿入し、保持することができる。さらに固定バーを設置することにより、或いは膜カートリッジ枠の垂直部を互いに嵌合する形状にすることにより、膜カートリッジ濾過面への懸濁物質等の不均等付着等が原因で膜カートリッジが歪み濾過膜がたわむことを防止し、濾過面間隔を一定に保つことができる。［発明の効果］【００１２】  上記したように、本発明の膜カートリッジ支持枠、ケーシング等内に簡単に上下方向に挿入でき，支持枠、ケーシング等の外部より、挿入された膜カートリッジをねじ等の締めつけ装置で締めつけ固定する簡素で堅牢なる膜カートリッジ保持構造を有する浸漬型平膜分離装置を提供するものである。組み立てた装置を浸漬槽に搬入設置することが困難な場合には、支持枠、ケーシング等および締め付け装置のみを予め浸漬槽内に設置した後、膜カートリッジを敢り付けることも容易である。またメンテナンスのために破損した膜カートリッジのみを抜き出し交換する作業も容易に可能である。【００１３】  さらに、各膜カートリッジを上部および、または下部それぞれに、膜カートリッジ枠の垂直部が濾過面に作用する不均等圧力により膜の中央部に引き寄せられ膜がたわむのを防止するための、固定バーを膜カートリッジと直角方向に設け、この固定バーを支持枠、ケーシング等に固定させることにより、或いは相接する膜カートリッジ枠の垂直部を互いに嵌合させることにより、膜カートリッジの変形を防ぎ、所定の膜間隔を確実に保持することができ、膜カートリッジ濾過面への懸濁物質等の不均等付着等が原因で膜間隔を閉塞させて膜を損傷させることのない膜カートリッジ保持構造を有する浸漬型平膜分離装置を提供するものである。［発明を実施するための最良の形態］【００１４】  以下に本発明の一実施の形態を図面に基づいて説明する。図２，３の本発明の膜カートリッジを挿入した図１の浸漬型平膜分離装置は、汚濁物質として天然有機物を含む廃水を生物処理する曝気槽に浸漬するもので、曝気槽内における活性汚��等の固形分の分離に使用される。図１の浸漬平膜分離装置は、膜カートリッジ支持枠１の内部に、複数の膜カートリッジを収納し、図４に示すように、上下四箇所をボルト３で締めて固定する。膜カートリッジは、膜カートリッジ支持枠の内部に上下方向に挿入し、各膜カートリッジを所定の間隔をあけて平行に配列される。【００１５】  図２，３の膜カートリッジは、上部および、または下部それぞれに二箇所の膜カートリッジを固定するために膜カートリッジ枠に予め設けた溝９に、固定バー２を膜カートリッジと直角方向に固定する。固定バー２は、膜カートリッジ支持枠１にボルト４で固定する。
【図面の簡単な説明】
【００１６】
【図１】本発明の実施の形態における浸漬型平膜分離装置および膜カートリッジの配置構成を示す断面図である。
【図２】本発明の実施の形態における膜カートリッジの平面図である。
【図３】本発明の実施の形態における膜カートリッジの断面図である。
【図４】本発明の実施の形態における浸漬型平膜分離装置の立面図である。［符号の説明］
【００１７】１  膜カートリッジ支持枠２  固定バー３  膜カートリッジ枠固定用ボルト４  固定バー用ボルト５  平膜部６  濾過水取水口７  膜カートリッジ枠８  固定バー用溝
【図１】
2005205382.tif 000002
【図２】
2005205382.tif 000003
【図３】
2005205382.tif 000004
【図４】
2005205382.tif 000005